(57)【要約】【課題】電子基板に対する不正行為を効果的に予防しつつ、そのような不正行為が行われた際に手間をかけることなく簡便かつ確実にその痕跡を確認することができて、不正行為の予防及び早期発見に寄与することのできる封印保護部材、電子基板ユニット、遊技機及び基板ケースを提供すること。【解決手段】この保護カバー４２は、協働して主制御基板３４を内包する主制御基板ケース３５の境界線３５ｆにおいて、その分離を阻止すべく跨るように固定された封印シール４１を保護するための保護カバー４２であって、透光性材料で形成されてかつ封印シール４１を覆うように配置された保護基部４２ａと、透光性材料で形成されてかつ対応部分の像を拡大呈示する拡大レンズ部４２ｂとを有する。【選択図】図５
2010075498.tif 000002
【特許請求の範囲】
【請求項１】
協働して電子基板を内包する複数の基板ケースの合わせ目において、その分離を阻止すべく該複数の基板ケースに跨るように固定された封印部材を保護するための封印保護部材であって、
透光性材料で形成されてかつ前記封印部材を覆うように配置されることにより、前記封印部材の前記合わせ目に対応する対応部分を、前記封印保護部材を介して外部から視認可能とする保護基部と、
透光性材料で形成されてかつ前記対応部分の像を拡大呈示する拡大レンズ部と、を有する封印保護部材。
【請求項２】
協働して電子基板を内包する複数の基板ケースの合わせ目において、その分離を阻止すべく該複数の基板ケースに跨るように固定された封印部材を保護するための封印保護部材であって、
透光性材料で形成されてかつ前記封印部材を覆うように配置されることにより、前記封印部材の前記合わせ目に対応する対応部分を、前記封印保護部材を介して外部から視認可能とする保護基部と、
透光性材料で形成されてかつ前記対応部分の像を屈折又は反射させることにより偏向呈示する偏向呈示部と、を有する封印保護部材。
【請求項３】
前記電子基板と、
前記複数の基板ケースと、
前記封印部材と、
請求項１又は請求項２に記載の封印保護部材と、を有する電子基板ユニット。
【請求項４】
遊技媒体を用いた遊技を実現する遊技装置体と、
該遊技装置体を、遊技者にとって前方から視認可能となるように保持する枠体と、
該枠体内における前記遊技装置体の後方に、前記合わせ目が上方、下方、右側方又は左側方のうちいずれかを向くように配置された請求項３に記載の電子基板ユニットと、を有する遊技機。
【請求項５】
表面に電子部品が実装された電子基板を内包する基板ケースであって、
少なくとも該電子部品又はその脚部に対応する対応位置部分が透光性を有することにより、外部から前記基板ケースを介して前記電子部品又はその脚部が視認可能とされ、かつ
前記対応位置部分が前記電子部品又はその脚部の像を拡大呈示する拡大レンズ部とされている基板ケース。
【発明の詳細な説明】
【技術分野】
【０００１】
本発明は、封印保護部材、電子基板ユニット、遊技機及び基板ケースに係り、特にケース内に封印された電子基板に対する不正行為の予防及び早期発見に寄与することのできる封印保護部材等に関する。
【背景技術】
【０００２】
パチンコ機等の遊技機においては、弾球された球が遊技領域（遊技盤面又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機においては、年々遊技の態様や演出が複雑化・多様化してきており、それに伴い遊技機の動作や演出を制御するための電子基板の構造や機能も複雑化・多様化してきている。このような電子基板に対して不正な破壊や改造が行われると、遊技が適正に行われなかったり、一部の不正な遊技者に対して不当な利益が付与されてしまったりする虞がある。そのため、この電子基板及びその周囲構造に対しては、外部からのアクセスが困難となるような工夫、外部からの不正なアクセスがあった場合にその痕跡や履歴が容易に把握できるような工夫などが為される必要がある。
【０００４】
例えば特許文献１には、電子基板の裏面に対向するように鏡面部材を配置し、鏡面部材に反射した電子基板の裏面像を電子基板の表面側から視認して電子基板裏面側での不正痕跡を容易に確認できる構成が開示されている。また、例えば特許文献２には、電子基板を封印する２つの基板ケースの継ぎ目をジグザグ形状（非直線形状）としてそのジグザグ形状部を跨ぐように封印シールを貼付して封印シールの切断を困難とする構成が開示されている。
【０００５】
【特許文献１】特開２００５−２６１６９６号公報
【特許文献２】特開２００６−８７８０７号公報
【発明の開示】
【発明が解決しようとする課題】
【０００６】
しかしながら、上記特許文献１に開示の構成においては、不正痕跡を確認するために、電子基板及びそれを収納する基板ボックスを手前に回転させるように引き出す必要がある。電子基板裏面と鏡面部材との間に隙間を設けることによって、その隙間を利用して鏡面部材を覗き込むようにして不正痕跡を確認しなければならないので、不正痕跡確認のためにわざわざ電子基板を引き出したり覗き込んだりという面倒な手間をかける必要があった。
【０００７】
また、特許文献２に開示の構成においては、ジグザグ形状とされた２つの基板ケースの継ぎ目に沿って丁寧に封印シールが切断されれば、やはりその痕跡を確認するのが難しくなってしまう。そのため、この構成によっても電子基板に対する不正行為の予防やその早期発見に充分な効果を発揮することが難しかった。
【０００８】
本発明は、上記の事情に鑑みて為されたもので、電子基板に対する不正行為を効果的に予防しつつ、そのような不正行為が行われた際に手間をかけることなく簡便かつ確実にその痕跡を確認することができて、不正行為の予防及び早期発見に寄与することのできる封印保護部材、電子基板ユニット、遊技機及び基板ケースを提供することを例示的課題とする。
【課題を解決するための手段】
【０００９】
上記の課題を解決するために、本発明の例示的側面としての封印保護部材は、協働して電子基板を内包する複数の基板ケースの合わせ目において、その分離を阻止すべく複数の基板ケースに跨るように固定された封印部材を保護するための封印保護部材であって、透光性材料で形成されてかつ封印部材を覆うように配置されることにより、封印部材の合わせ目に対応する対応部分を、封印保護部材を介して外部から視認可能とする保護基部と、透光性材料で形成されてかつ対応部分の像を拡大呈示する拡大レンズ部と、を有することを特徴とする。
【００１０】
本発明によれば、複数の基板ケースの合わせ目において封印部材がそれらに跨るように固定され、基板ケースの分離を阻止しているので、外部から電子基板にアクセスするためには封印部材を破損又は破壊して基板ケースを分離する必要がある。したがって、電子基板への不正アクセスの際に、封印部材にその不正アクセスの痕跡が残存することとなる。
【００１１】
ここにおいて、封印部材は典型的には所謂封印シールであるが、もちろんシールに限られない。基板ケースの合わせ目における分離を阻止することができる部材であればよく、例えば金属部材、樹脂部材等を概念することができる。また、封印シールにおいてもその素材は、紙であっても樹脂フィルムであってもよい。また、封印部材の「固定」は、接着剤や粘着剤による貼付、カシメ、フック等による不可逆的な係合や係止、ネジ等による不可逆的な螺合を含む概念である。
【００１２】
その封印部材を覆うように封印保護部材が配置されているので、通常使用時における封印部材の不慮の破損を防止することができる。例えば基板ケースの他の部材への取付け作業時や基板ケースの清掃等のメンテナンス時に、封印部材が意図せず破損することが防止されるので、封印部材が破損している場合は、直ちに電子基板に対する不正アクセス行為があったものと把握することができる。
【００１３】
その封印保護部材が透光性材料で形成されているので、封印保護部材を介して封印部材を外部から容易に視認することができる。そして、封印保護部材は拡大レンズ部を有しており、封印部材の合わせ目に対応する対応部分、すなわち複数の基板ケースに跨って封印部材が固定されている部分の像を拡大呈示することができるようになっている。そのため、不正行為が巧妙に行われてこの封印部材の破損の程度が小さい場合であっても、その破損部分が大きく拡大呈示されるので、一層容易に不正の痕跡を視認することができるようになっている。
【００１４】
複数の基板ケースの分離を阻止する封印部材と、透光性材料で形成されて拡大レンズ部を有する封印保護部材とによって、電子基板への不正アクセスの予防と、不正アクセスが行われた場合のその早期発見とが効果的に実現される。なお、封印保護部材は、典型的にはアクリル、ポリカーボネート等の透光性樹脂材料で形成された樹脂部材である。もちろん、封印保護部材にも封印部材と同様に複数の基板ケースの分離を阻止する機能が付与されていてもよい。具体的には、封印保護部材が複数の基板ケースに跨って接着又は溶着されていたり、係止フックによって取外し不可能に係止されていたり、カシメられていたりしてもよい。
【００１５】
なお拡大レンズ部は、例えば通常の凸レンズ状に形成されていてもよいが、フレネルレンズ状に形成されていてももちろんよい。それにより、封印保護部材の厚さを薄く形成しつつ充分な拡大呈示機能を発揮することができる。もちろん、この拡大レンズ部と保護基部とが別体で形成されていてもよいし、一体成型により一体的に形成されていてもよい。
【００１６】
本発明の他の例示的側面としての封印保護部材は、協働して電子基板を内包する複数の基板ケースの合わせ目において、その分離を阻止すべく複数の基板ケースに跨るように固定された封印部材を保護するための封印保護部材であって、透光性材料で形成されてかつ封印部材を覆うように配置されることにより、封印部材の合わせ目に対応する対応部分を、封印保護部材を介して外部から視認可能とする保護基部と、透光性材料で形成されてかつ対応部分の像を屈折又は反射させることにより偏向呈示する偏向呈示部と、を有することを特徴とする。
【００１７】
本発明によれば、複数の基板ケースの合わせ目において封印部材がそれらに跨るように固定され、基板ケースの分離を阻止しているので、外部から電子基板にアクセスするためには封印部材を破損又は破壊して基板ケースを分離する必要がある。したがって、電子基板への不正アクセスの際に、封印部材にその不正アクセスの痕跡が残存することとなる。
【００１８】
その封印部材を覆うように封印保護部材が配置されているので、通常使用時における封印部材の不慮の破損を防止することができる。例えば基板ケースの他の部材への取付け作業時や基板ケースの清掃等のメンテナンス時に、封印部材が意図せず破損することが防止されるので、封印部材が破損している場合は、直ちに電子基板に対する不正アクセス行為があったものと把握することができる。
【００１９】
その封印保護部材が透光性材料で形成されているので、封印保護部材を介して封印部材を外部から容易に視認することができる。そして、封印保護部材は偏向呈示部を有しており、封印部材の合わせ目に対応する対応部分、すなわち複数の基板ケースに跨って封印部材が固定されている部分の像を屈折又は反射させることにより偏向呈示することができるようになっている。そのため、例えばこの対応部分が正面から視認しにくい位置に配置されている場合であっても、正面でなく偏向された方向から対応部分を容易に視認することができる。
【００２０】
複数の基板ケースの分離を阻止する封印部材と、透光性材料で形成されて偏向呈示部を有する封印保護部材とによって、電子基板への不正アクセスの予防と、不正アクセスが行われた場合のその早期発見とが効果的に実現される。
【００２１】
なお、偏向提示部は、例えばプリズム状に形成されていてもよい。プリズムの発揮する屈折機能や反射機能を利用すれば、対応部分の像を容易に偏向呈示することができる。もちろん、この偏向呈示部と保護基部とが別体で形成されていてもよいし、一体成型により一体的に形成されていてもよい。
【００２２】
本発明の更に他の例示的側面としての電子基板ユニットは、電子基板と、複数の基板ケースと、封印部材と、上記の封印保護部材と、を有することを特徴とする。
【００２３】
この電子基板ユニットは、上記の封印部材と封印保護部材とを有しているので、基板ケース内に封印した電子基板への不正アクセスを確実に予防することができる。また、封印部材の不慮の破損を防止する効果も有する。更に、封印保護部材が対応部分を拡大呈示したり偏向呈示したりするので、対応部分の視認性が向上し、万一不正アクセスが行われた際にもその早期発見に寄与することができる。
【００２４】
本発明の更に他の例示的側面としての遊技機は、遊技媒体を用いた遊技を実現する遊技装置体と、遊技装置体を、遊技者にとって前方から視認可能となるように保持する枠体と、枠体内における遊技装置体の後方に、合わせ目が上方、下方、右側方又は左側方のうちいずれかを向くように配置された上記の電子基板ユニットと、を有することを特徴とする。
【００２５】
この遊技機は、上記の電子基板ユニットを有しているので、この遊技機の電子基板に不正行為者が不正アクセスするのを有効に予防することができる。更に、万一不正アクセスがされた場合であっても、その痕跡が発見容易とされている。したがって、この遊技機は、不正行為者による不正行為を排除し、一般遊技者による安全かつ安心な遊技に資することができる。
【００２６】
遊技機においては、遊技盤の後方であって裏機構盤の近傍に電子基板ユニットが配置される場合が多い。そのような電子基板ユニットに対する不正行為の痕跡の確認は、遊技盤の背面から視認することにより行われる。このような場合に、合わせ目が後方（背面側）を向いている場合には、その合わせ目を視認者が正面から見ることができるが、合わせ目が上方、下方、右側方又は左側方のうちいずれかを向いている場合に、視認者が合わせ目を正面から見ることができず、不正行為の痕跡を発見するのが困難となる。
【００２７】
しかしながら、この遊技機は本願発明に係る電子基板ユニットを有しているので、合わせ目が上方、下方、右側方又は左側方のうちいずれかを向いていても、その部分が拡大呈示されたり、偏向呈示されたりすることにより、背面側からの視認に対し不正行為の痕跡の発見が容易となっている。したがって、不正行為の早期発見に寄与している。
【００２８】
なお、遊技機は、遊技媒体を用いた遊技を実現する遊技装置体を有する遊技機全般を含むが、典型的にはパチンコ機、パチンコ式スロットマシン機、スロットマシン、アーケードゲーム機等が該当する。また、遊技媒体は、パチンコ機におけるパチンコ球、パチスロ機やスロットマシンにおけるメダル等を含む。アーケードマシンにおいては、その他にもボール、コイン等様々な遊技媒体を概念することができる。
【００２９】
遊技装置体は、遊技媒体を用いた遊技を実現するためのもので、例えばパチンコ機やアーケードマシンにおいては遊技盤、パチンコ式スロットマシン機やスロットマシンにおいては回胴装置（いわゆるリール）が該当する。また、上方、下方、右側方又は左側方は、遊技機を遊技者から正面視したときの各方向をいい、後方は、遊技者から遊技機に向かう方向をいう。
【００３０】
本発明の更に他の例示的側面としての基板ケースは、表面に電子部品が実装された電子基板を内包する基板ケースであって、少なくとも電子部品又はその脚部に対応する対応位置部分が透光性を有することにより、外部から基板ケースを介して電子部品又はその脚部が視認可能とされ、かつ対応位置部分が電子部品又はその脚部の像を拡大呈示する拡大レンズ部とされていることを特徴とする。
【００３１】
この基板ケースによれば、電子基板上に実装された電子部品又はその脚部が拡大レンズ部によって拡大呈示されるので、電子部品や脚部に対して行われた不正改造等の痕跡が基板ケースの外部から容易に視認できるようになっている。すなわち、視認者は、電子部品や脚部の拡大像を視認することができるので、改造痕跡等を容易に発見することができるようになっている。したがって、この基板ケースは、内包する電子基板に対する不正行為の早期発見に寄与することができる。
【００３２】
なお、本発明において基板ケースは、電子基板を内包する全体としてのケースをいう場合と、全体のケースを構成する複数のケース部材１つ１つをいう場合とがある。例えば、協働して電子基板を内包する複数の基板ケースという場合の基板ケースは、全体としての基板ケースを構成するケース部材をいう。そのケース部材が複数協働して全体としてひとまとまりとなったケースを基板ケースという場合もあり、その基板ケースが電子基板を内包する。
【００３３】
本発明の更なる目的又はその他の特徴は、以下添付図面を参照して説明される好ましい実施の形態によって明らかにされるであろう。
【発明の効果】
【００３４】
本発明によれば、電子基板に対する不正行為を効果的に予防しつつ、そのような不正行為が行われた際に手間をかけることなく簡便かつ確実にその痕跡を確認することができて、不正行為の予防及び早期発見に寄与することができる。特に、電子基板を内包する複数の基板ケースの合わせ目が正面視困難な位置に配置され、合わせ目における不正行為の痕跡が視認しにくい場合において、本発明はその痕跡を拡大呈示したり偏向呈示したりすることによって視認しやすくするので、不正行為の予防や早期発見に大きく貢献する。
【発明を実施するための最良の形態】
【００３５】
［実施の形態１］
以下、本発明の実施の形態１について図面を用いて説明する。図１は、本発明の実施の形態１に係る遊技機としてのパチンコ機２の正面図である。図２は、図１に示すパチンコ機２の背面図である。このパチンコ機２は、枠体３、遊技盤（遊技装置体）６、前面ガラス（前面透明板）１０、発射ユニット（不図示）、貯留皿１４を有し、遊技盤６には、遊技媒体としての球２３の流下による遊技を実現するための遊技領域が形成されている。また、遊技盤６の裏面側には、主制御基板ユニット（電子基板ユニット）Ｕ（図２参照）が取り付けられているが、詳細は後述する。
【００３６】
パチンコ機２は、後述する発射ハンドル１５を遊技者が操作することによって、遊技領域１６に向けて球２３が発射ユニットによって発射され、球２３の流下による遊技が実現される。なお、遊技機は、パチンコ機２の他にパチンコ式スロットマシン機、コインゲーム機等のアーケードマシン、各種ゲーム機を概念することができ、要するに、遊技媒体を用いた遊技を実現する遊技装置体を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）を実現するいわゆる１種タイプのパチンコ機について例示説明する。
【００３７】
なお、本実施の形態１においては、遊技機としてパチンコ機２を例示して説明するが、もちろん遊技機がパチンコ式スロットマシン機の場合にも本発明を適用することができる。その場合においては、パチンコ式スロットマシン機が有する遊技装置体としての回胴装置が、遊技媒体としてのメダルを用いた遊技を実現することとなる。
【００３８】
パチンコ機２の枠体３は、遊技盤６を含む遊技盤ユニットを保持するためのもので、このパチンコ機２の周囲及び前方又はそれに加えて後方を囲むように構成される。枠体３の内部側には、遊技盤ユニットの他にも後述する各種電子基板や遊技媒体用の経路等各種機構部品が配置され、枠体３によって周囲側面及び前面又はそれに加えて後方からのパチンコ機２内部側への不正アクセスが防止されるようになっている。
【００３９】
パチンコ機２の周囲を囲む筐体枠４、その内側にヒンジ部（揺動支持部）２２によって前方開閉可能に揺動支持されて遊技盤ユニットを保持する機枠９、機枠９の前方にヒンジ部２２によって前方開閉可能に揺動支持されて前面ガラス１０とその周囲を装飾する装飾部材３２とを保持する装飾枠１２とを有して枠体３が構成される。なお、前面ガラス１０は、枠体３内部側に保持された遊技盤６を前方から遊技者が視認することができるようにするための透明部材である。
【００４０】
貯留皿１４は、遊技者の持ち球を貯留するためにパチンコ機２の前面に配置された皿部材であって、本実施の形態においては上皿１４ａと下皿１４ｂとを有している。上皿１４ａは、球排出ボタン１４ｃを有して遊技盤６の下方、すなわち装飾枠１２の下方部分に配置され、下皿１４ｂは、その上皿１４ａの更に下方に配置されている。
【００４１】
遊技盤ユニットは、遊技盤面（表面）６ａ側の略中央にセンター役物７が配置された遊技盤６を有しており、その遊技盤面６ａには多数の遊技釘も配置されている。センター役物７の中央部には、図柄表示装置７ａが配置されるとともに、この図柄表示装置７ａの表示画面（映像表示面）７ｂを露出させるための開口部７ｄが形成されている。
【００４２】
図柄表示装置７ａは、例えば、液晶表示装置・有機ＥＬディスプレイ・ＬＥＤ等により構成されて遊技者が遊技盤面６ａ側から視認可能となるように配置され、その表示画面７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００４３】
遊技盤６は、その遊技盤面６ａ側に球（遊技媒体）２３の流下による遊技を実現するための遊技領域１６を構成するための遊技装置体であり、遊技盤面６ａを前方から遊技者にとって視認可能となるように枠体３（本実施の形態においては、枠体３の一部としての機枠９。）に保持されている。その遊技盤面６ａには略円形状に周囲を囲むようにレール飾りが取り付けられており、レール飾りの内周面が遊技盤面６ａに対して立設するように配置されている。そして、その内周面によって画定され、内周面に面した略円形状の領域が遊技領域１６となっている。
【００４４】
遊技釘は、遊技領域１６を流下する球２３と衝突してその流下方向を変更させるものであり、多数が遊技領域内に配置されている。また、遊技領域１６には、普通入賞口２８、中央始動口２９、及び中央大入賞口３１等が配置されており、流下する球２３が各流入口に流入したり、遊技釘に衝突したりすることによって、球２３による流下遊技を楽しむことができるようになっている。
【００４５】
図示しない球発射装置により球２３が発射されると、球２３はレール飾りの内周面に沿いつつ進行して遊技領域１６内の上部に至る。その後、球２３は、複数の通過軌跡に沿って移動し、遊技釘に衝突しつつ遊技領域１６を下方に流下する。あるものは普通入賞口２８に流入して一定数の景品球払出しの契機となり、あるものは通過ゲート３３を通過し、あるものはいずれの入賞口にも流入せずに遊技領域内最下部に位置するアウト口３０に流入してアウト球としてパチンコ機２の外部側へと排出される。
【００４６】
球２３が通過ゲート３３を通過すると、その通過ゲート３３の通過に起因して状態変更抽選手段（不図示）による抽選が行われ、その抽選結果が当たりの場合に、中央始動口２９の開閉羽根が開放され、球が入球し易い状態を実現する。この中央始動口２９に流入すると、その流入に起因して図柄表示装置７ａの表示図柄７ｃが回転表示を開始し、その表示図柄７ｃが所定の図柄（例えば、「７・７・７」。）で停止表示すれば、図柄変動遊技における大当りが発生する。そして、中央大入賞口３１が開放して多量の入賞球を受け入れ、多量の景品球が貯留皿１４へと払い出されるようになっている。
【００４７】
遊技盤６の裏面側には、パチンコ機２の全体の制御を行う主制御基板（電子基板）３４を有する主制御基板ユニットＵが配置されている。その主制御基板ユニットＵは、主制御基板３４、主制御基板３４を内包する主制御基板ケース（基板ケース）３５、後述する封印シール（封印部材）４１、保護カバー（封印保護部材）４２を有して構成されている。
【００４８】
また、遊技盤６の裏面側には、図柄表示装置７ａの画像演出の制御を行う画像制御基板（図示せず）を収容した画像制御基板ケース３６と、景品球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００４９】
なお、本実施の形態１では、主制御基板３４について例示して説明するが、他の制御基板についても同様の構造を採用することが可能である。すなわち、画像制御基板（電子基板）、画像制御基板ケース（基板ケース）、封印シール及び保護部材を有して画像制御基板ユニット（電子基板ユニット）を構成することが可能である。同様に、払出制御基板（電子基板）、払出制御基板ケース（基板ケース）、封印シール及び保護部材を有して払出制御基板ユニット（電子基板ユニット）を構成したり、電源基板（電子基板）、電源基板ケース（基板ケース）、封印シール及び保護部材を有して電源基板ユニット（電子基板ユニット）を構成することが可能である。
【００５０】
以下、本発明の実施の形態１に係る主制御基板ユニットＵの構造について、図３〜図５を用いて説明する。以下の説明においては、上下及び前後左右の方向は、遊技者からパチンコ機２を見た際の方向に基づいて定義し、図中に適宜図示する。
【００５１】
図３は、主制御基板ユニットＵの平面図であり、図４は、主制御基板ユニットＵの分解斜視図である。主制御基板ケース３５は、遊技盤６の裏面側に着脱自在に固定される本体ケース（基板ケース）３５ａと、本体ケース３５ａに対して着脱自在に固定される蓋ケース（基板ケース）３５ｂとの２つの基板ケースを有し、これら両者が協働して主制御基板３４を内部に内包するようになっている。すなわち、主制御基板３４は、蓋ケース３５ｂの内面側に形成された開口部に固定されて、蓋ケース３５ｂと本体ケース３５ａとが係合することにより、主制御基板ケース３５の内部に収容されるようになっている。この収容された状態では、主制御基板３４に対して外部から接触することはできない。
【００５２】
主制御基板３４の表面（ここでいう表面は、前面側である場合と後面側である場合とを含む。）には、ＲＯＭ、ＲＡＭ、ＣＰＵ等の電子デバイス、接続コネクタ等を含む電子部品が実装されている。主制御基板３４の周囲には、固定部としての固定穴３４ａが形成されている。主制御基板３４の後側から固定穴３４ａに固定ネジを挿入して、この固定ネジと蓋ケースのネジ穴とをネジ止めすることにより、主制御基板３４が蓋ケース３５ｂ内に固定されるようになっている。
【００５３】
主制御基板ケース３５の右側部には、ヒンジ部が設けられている。ヒンジ部は、本体ケース３５ａの右側壁面に沿った軸部３５ｄと、この軸部３５ｄに係止される蓋ケース３５ｂ側の円弧状の弧状爪部３５ｅとを有して構成され、軸部３５ｄは本体ケース３５ａに形成され、弧状爪部３５ｅは蓋ケース３５ｂに形成されている。蓋ケース３５ｂは本体ケース３５ａに対してヒンジ部を軸として揺動可能に支持されており、蓋ケース３５ｂが本体ケース３５ａに対して回転移動することより、主制御基板ケース３５の開口部を開放した開状態と、閉鎖した閉状態とを実現する。
【００５４】
主制御基板ケース３５の左側部には、封印部３５ｃが設けられている。この封印部３５ｃは、不正行為者による主制御基板ケース３５の不正開放を予防し、また、万一不正に開放された際に、その不正開放の痕跡を残存させるためのものである。図５は、この封印部３５ｃを拡大して示す分解拡大図である。封印部３５ｃは、本体ケース３５ａと蓋ケース３５ｂとが境界を有して合わさった部分であり、両ケース３５ａ，３５ｂの境界線（合わせ目）３５ｆを有している。この封印部３５ｃは、主制御基板ケース３５の左側部に設けられているので、封印部３５ｃにおける境界線３５ｆは、パチンコ機２の遊技盤６裏面側に取り付けられた状態において、左側方を向くように位置することとなる。
【００５５】
この境界線３５ｆの近傍部分において、本体ケース３５ａと蓋ケース３５ｂとに跨るように、封印シール４１が貼付されている。本実施の形態１においては、封印シール４１は紙製であるが、もちろん封印部材がプラスチックフィルムや布、金属板等であってもよい。また、本実施の形態１においては、封印シール４１の裏面が接着面とされており、封印シール４１が両ケース３５ａ，３５ｂに接着貼付されることにより固定されるが、封印部材の固定は接着に限られない。溶着、ネジ止め等様々な固定方法であってよい。
【００５６】
境界線３５ｆの近傍部分において本体ケース３５ａと蓋ケース３５ｂとに跨るように、封印シール４１が貼付されているので、両ケース３５ａ，３５ｂの分離が防止され、内包する主制御基板３４への外部からのアクセスが防止されている。そして、もし主制御基板３４への不正アクセスのために、本体ケース３５ａと蓋ケース３５ｂとが分離された場合は、封印シール４１が境界線３５ｆに対応する部分において切断又は破損され、必ずその痕跡が残存するようになっている。
【００５７】
この封印シール４１の不測の破損を防止するために、封印シール４１を覆うように保護カバー４２が取り付けられている。保護カバー４２が取り付けられていることにより、封印シール４１が外部に対して非露出状態となり、パチンコ機２の組付け時やメンテナンス時等において、意図せず封印シール４１を破損してしまうということが防止されるようになっている。
【００５８】
保護カバー４２は、例えばアクリル、ポリカーボネート等の透光性材料で形成されている。本実施の形態１においては、保護カバー４２は、透明な樹脂成型品である。この保護カバー４２は、実質的に封印シール４１を覆って保護カバー４２を介して外部から境界線３５ｆに対応する封印シール４１の対応部分を視認可能とする機能を発揮する保護基部４２ａと、その対応部分の像を拡大呈示する機能を発揮する拡大レンズ部４２ｂとを有している。
【００５９】
この保護基部４２ａと拡大レンズ部４２ｂとは、別体として形成されたものが一体化されたものでもよいし、両者が一体成型されたものでもよい。拡大レンズ部４２ｂは、そのレンズ機能によって、視認者が外部から封印シール４１近傍を視認したときに、その視認者に対して封印シール４１の対応部分の像を拡大して呈示するようになっている。したがって、視認者は、封印シール４１の対応部分の大きい像を視認することができ、そこに不正行為の痕跡があった場合に容易かつ迅速にその痕跡を発見、確認することができる。
【００６０】
特に、本実施の形態１においては、この主制御基板ユニットＵの取付け状態において、封印シール４１の対応部分がパチンコ機２の背面側の左側方を向いている。パチンコ機２の背面側は、一般に島設備の内部側を向いており、照明が暗く、不正行為の痕跡の確認がし難い。しかも封印シール４１の対応部分が左側方を向いていれば、対応部分を正面視することができず、一層痕跡の確認がし難い。
【００６１】
しかしながら、本発明に係る保護カバー４２によって、封印シール４１の対応部分が拡大呈示されれば、その部分に破損や切断の痕跡、すなわち不正行為の痕跡があるか否かを容易かつ迅速に確認することができる。したがって、主制御基板ケース３５の不正開放の早期発見を実現することができる。
【００６２】
なお、この拡大レンズ部４２ｂは凸レンズ形状となっているので、封印部３５ｃを正面視した場合（すなわち、主制御基板ケース３５の左側方から視認した場合）のみならず、封印部３５ｃを多少斜め後方から視認した場合であっても、充分な拡大呈示機能を発揮する。したがって、パチンコ機２の後方近傍から保護カバー４２を視認した場合であっても、視認者は充分に拡大された封印シール４１の対応部分の拡大像を視認することができる。
【００６３】
［実施の形態２］
上記実施の形態１においては、２つの基板ケース３５ａ，３５ｂが軸部３５ｄを中心に回転開閉する構造について説明したが、本実施の形態２においては、２つの基板ケース４３ａ，４３ｂがスライド開閉する構造について説明する。図６は、本発明の実施の形態２に係る主制御基板ユニットＵ’の分解斜視図である。この実施の形態２に係る主制御基板ユニットＵ’においては、本体ケース４３ａと蓋ケース４３ｂとがスライド移動することにより、開状態と閉状態とを実現するようになっている。
【００６４】
両ケース４３ａ，４３ｂの上下側壁面には、スライド機構が形成されている。スライド機構は、本体ケース４３ａに形成されたスライド溝４３ｃと、蓋ケース４３ｂに形成されたスライド片４３ｄとを有して構成される。スライド溝４３ｃは、本体ケース４３ａの上側壁面及び下側壁面から後方及び内方に向けて形成された溝である。スライド溝４３ｃの前方に位置する開口部分は、右半分が塞がれており、左半分が開口している。スライド片４３ｄは、本体ケース４３ａのスライド溝４３ｃと対向するように、蓋ケース４３ｂに突出形成されている。
【００６５】
両ケース４３ａ，４３ｂを閉状態とする際は、本体ケース４３ａのスライド溝４３ｃの開口部分に蓋ケース４３ｂのスライド片４３ｄを挿入して、蓋ケース４３ｂを右方向にスライド移動させる。これにより、本体ケース４３ａのスライド溝４３ｃと蓋ケース４３ｂのスライド片４３ｄが嵌合して、両ケース４３ａ，４３ｂは閉状態となる。一方、閉状態から開状態とする際には、本体ケース４３ａに対して蓋ケース４３ｂを左側にスライド移動させて、スライド溝４３ｃとスライド片４３ｄとの嵌合を解除する。
【００６６】
この主制御基板ユニットＵ’においては、その右側方に封印部３５ｃが設けられている。その封印部３５ｃにおいては、本体ケース４３ａと蓋ケース４３ｂとが境界線（合わせ目）３５ｆで合わさっており、その境界線３５ｆ部分に封印シール４１が貼付されている。したがって、封印シール４１の貼付により、本体ケース４３ａと蓋ケース４３ｂとのスライド移動が阻止されるようになっており、無理に本体ケース４３ａと蓋ケース４３ｂとをスライド移動させて主制御基板ケースを開放した場合には、封印シール４１が破損又は切断されてその痕跡が残存するようになっている。
【００６７】
封印シール４１を覆うように保護カバー５２が取り付けられている。この保護カバー５２は、保護基部５２ａとプリズム部（偏向呈示部）５２ｂとを有して構成されている。保護基部５２ａは、実施の形態１において説明したものと同様であるので、説明を省略する。プリズム部５２ｂは、封印シール４１の対応部分の像を偏向呈示する機能を発揮する。図７は、このプリズム部５２ｂの偏向呈示機能を説明するための説明図である。
【００６８】
プリズム部５２ｂは、断面三角形状とされた透明樹脂材料部である。外部空気と樹脂との屈折率の相違から、プリズム部５２ｂは光を屈折及び／又は反射するプリズムとして機能し、封印シール４１の対応部分の像をパチンコ機２の後方へ向けて偏向呈示する。すなわち、右側方へ向く封印シール４１の対応部分の像を、その斜辺部５２ｃにおいて反射させ、後方から視認する視認者に向けて視認容易に呈示する。
【００６９】
したがって、本発明の実施の形態２に係る保護カバー５２は、この主制御基板ユニットＵ’が遊技盤６の背面側へ取り付けられた状態において、後方からの確認では通常は視認が困難となる封印シール４１の対応部分を、後方へ向けて視認容易となるように偏向呈示するので、視認者は後方からの確認により不正行為の痕跡を容易かつ迅速に発見することができる。
【００７０】
なお、図７においては、プリズム部５２ｂを略直角二等辺三角形（すなわち、頂角を約４５°）とし、その斜辺部５２ｃにおける反射方向が真っ直ぐ後方となるように構成しているが、図８（ａ）に示すように、プリズム部５２ｂの姿勢を変化させたり、図８（ｂ）に示すように、斜辺部５２ｃを曲面とすることにより、対応部分の像の反射方向を、斜め後方など様々に調整することが可能である。その場合には、もちろん斜辺部５２ｃにおける反射だけでなく、三角形の各辺への入射、各辺からの出射において、対応部分の像光は屈折されることとなる。斜辺部５２ｃを曲面とすることにより、対応部分の像を拡大したり縮小したりする機能も発揮する。
【００７１】
［実施の形態３］
図９は、本発明の実施の形態３に係る主制御基板ケース（基板ケース）６２の縦断面図である。この主制御基板ケース６２は、本体ケース６２ａと蓋ケース６２ｂとによって協働して主制御基板３４を内包している点において、上記実施の形態１，２と同様である。本実施の形態３においては、蓋ケース６２ｂの一部が拡大レンズ部６２ｃとされている。
【００７２】
拡大レンズ部６２ｃは、透光性を有して構成されており、また、内包する主制御基板３４の表面に実装された電子部品としてのＲＯＭ３４ｂ及び／又はその脚部３４ｃに対応する位置に配置されている。例えば、蓋ケース６２ｂ全体が透明樹脂で形成されていてもよいし、拡大レンズ部６２ｃの部分のみが透明とされていてもよい。
【００７３】
ＲＯＭ３４ｂ及び／又はその脚部３４ｃは、拡大レンズ部６２ｃの焦点距離以内となるように配置されており、その結果、主制御基板ケース６２の外部から視認する視認者に対し、ＲＯＭ３４ｂ及び／又はその脚部３４ｃの虚像（拡大像）を拡大呈示することができるようになっている。
【００７４】
この主制御基板ケース６２をパチンコ機２の遊技盤６裏面に取り付けた際、蓋ケース６２ｂが後方を向くように取り付けられる。そのため、後方からこの主制御基板ケース６２を視認する視認者は、拡大レンズ部６２ｃを正面視することができる。その拡大レンズ部６２ｃの機能により、内包される主制御基板３４上のＲＯＭ３４ｂ及び／又はその脚部３４ｃが大きく拡大呈示されるようになっている。そのため、ＲＯＭ３４ｂが不正に交換されたり、ＲＯＭ３４ｂが不正に改造されたりすることにより、ＲＯＭ３４ｂやその脚部３４ｃ近傍の半田付け部分に不正痕跡が残存した場合には、その痕跡が拡大呈示されて容易かつ迅速にその痕跡を発見することができる。
【００７５】
以上、本発明の好ましい実施の形態を説明したが、本発明はこれらに限定されるものではなく、その要旨の範囲内で様々な変形や変更が可能である。例えば本発明における拡大レンズ部は、フレネルレンズで構成されていてもよい。それにより、凸レンズで構成する場合に比較して保護カバーや基板ケースを薄く形成することができる。また、本発明における偏向呈示部はプリズムを利用したものに限られず、例えば光ファイバー束等の導光部材を利用することもできる。すなわち、光ファイバーの一端を封印シールの対応部分に対向させ、その他端をパチンコ機２の後方へ向けるように配置すれば、対応部分の像をパチンコ機の後方から容易に視認することができる。
【図面の簡単な説明】
【００７６】
【図１】本発明の実施の形態１に係るパチンコ機の正面図である。
【図２】図１に示すパチンコ機の背面図である。
【図３】図１に示す主制御基板ユニットの平面図である。
【図４】図３に示す主制御基板ユニットの分解斜視図である。
【図５】図３に示す封印部を拡大して示す分解拡大図である。
【図６】本発明の実施の形態２に係る主制御基板ユニットの分解斜視図である。
【図７】図６に示す保護カバーにおけるプリズム部の偏向呈示機能を説明するための説明図である。
【図８】図６に示す保護カバーの変形例であり、（ａ）はプリズム部の姿勢を変化させた例を示し、（ｂ）はプリズム部の三角形の各頂点の角度を変化させた例を示す。
【図９】本発明の実施の形態３に係る主制御基板ケースの縦断面図である。
【符号の説明】
【００７７】
Ｕ，Ｕ’：主制御基板ユニット（電子基板ユニット）
２：パチンコ機（遊技機）
３：枠体
４：筐体枠（枠体の一部）
６：遊技盤（遊技装置体）
６ａ：遊技盤面（表面）
７：センター役物
７ａ：図柄表示装置
７ｂ：表示画面（映像表示面）
７ｃ：表示図柄
７ｄ：開口部
９：機枠（枠体の一部）
１０：前面ガラス（前面透明板）
１２：装飾枠（枠体の一部）
１４：貯留皿
１４ａ：上皿
１４ｂ：下皿
１４ｃ：球排出ボタン
１５：発射ハンドル
１６：遊技領域
２２：ヒンジ部（揺動支持部）
２３：球（遊技媒体）
２８：普通入賞口
２９：中央始動口
３０：アウト口
３１：中央大入賞口
３２：装飾部材
３３：通過ゲート
３４：主制御基板（電子基板）
３４ａ：固定穴（固定部）
３４ｂ：ＲＯＭ（電子部品）
３４ｃ：脚部
３５，６２：主制御基板ケース（基板ケース）
３５ａ，４３ａ，６２ａ：本体ケース（基板ケース）
３５ｂ，４３ｂ，６２ｂ：蓋ケース（基板ケース）
３５ｃ：封印部
３５ｄ：軸部
３５ｅ：弧状爪部
３５ｆ：境界線（合わせ目）
３６：画像制御基板ケース
３７：払出制御基板ケース
３８：電源基板ケース
３９：外部出力端子板
４１：封印シール（封印部材）
４２，５２：保護カバー（封印保護部材）
４２ａ，５２ａ：保護基部
４２ｂ，６２ｃ：拡大レンズ部
４３ｃ：スライド溝
４３ｄ：スライド片
５２ｂ：プリズム部（偏向呈示部）
５２ｃ：斜辺部
【図１】
2010075498.tif 000003
【図２】
2010075498.tif 000004
【図３】
2010075498.tif 000005
【図４】
2010075498.tif 000006
【図５】
2010075498.tif 000007
【図６】
2010075498.tif 000008
【図７】
2010075498.tif 000009
【図８】
2010075498.tif 000010
【図９】
2010075498.tif 000011